(57)【要約】 【課題】可搬型記憶媒体に記憶されているＤＩＣＯＭオブジェクトに対する比較読影を行う際の、ユーザの利便性を向上させる。【解決手段】ＤＩＣＯＭワークステーション６０は、メディアＭから読み込んだＤＩＣＯＭオブジェクトに含まれる付帯情報に基づいて、当該ＤＩＣＯＭオブジェクトに関連するＤＩＣＯＭオブジェクトをＤＩＣＯＭ管理サーバ８０から取得する。そして、ＤＩＣＯＭワークステーション６０は、当該取得したＤＩＣＯＭオブジェクトとメディアＭから読み込んだＤＩＣＯＭオブジェクトとに基づいて、各ＤＩＣＯＭオブジェクトに関する医療データを画面にそれぞれ表示させる。【選択図】図１
2010040019.tif 000002
【特許請求の範囲】
【請求項１】
ＤＩＣＯＭオブジェクトを管理するＤＩＣＯＭ管理サーバと、当該ＤＩＣＯＭ管理サーバのクライアント端末であるＤＩＣＯＭワークステーションとが通信ネットワークを介してデータ通信可能に接続されたＤＩＣＯＭシステムであって、
前記ＤＩＣＯＭワークステーションは、
可搬型記憶媒体に記憶されたＤＩＣＯＭオブジェクトを読み込む読込手段と、
前記読込手段により読み込まれたＤＩＣＯＭオブジェクトに含まれる付帯情報に基づいて、当該ＤＩＣＯＭオブジェクトに関連するＤＩＣＯＭオブジェクトを、前記ＤＩＣＯＭ管理サーバから取得し、当該取得したＤＩＣＯＭオブジェクトと前記読込手段により読み込まれたＤＩＣＯＭオブジェクトとに基づいて、各ＤＩＣＯＭオブジェクトに関する医療データを画面にそれぞれ表示させる制御手段と、
を備えるＤＩＣＯＭシステム。
【請求項２】
前記制御手段は、前記読込手段により読み込まれたＤＩＣＯＭオブジェクトに関連するＤＩＣＯＭオブジェクトを取得可能か否かを前記ＤＩＣＯＭ管理サーバに問い合わせ、取得不可能の場合、その旨を画面に表示させる、
請求項１に記載のＤＩＣＯＭシステム。
【請求項３】
前記ＤＩＣＯＭオブジェクトは、医用画像のデータを含み、
前記制御手段は、当該医用画像のデータを含んだ医療データを画面に表示させる、
請求項１又は２に記載のＤＩＣＯＭシステム。
【請求項４】
前記ＤＩＣＯＭオブジェクトは、所見レポートのデータを含み、
前記制御手段は、当該所見レポートのデータを含んだ医療データを画面に表示させる、
請求項１又は２に記載のＤＩＣＯＭシステム。
【請求項５】
ＤＩＣＯＭオブジェクトを管理するＤＩＣＯＭ管理サーバのクライアント端末であるＤＩＣＯＭワークステーションであって、
可搬型記憶媒体に記憶されたＤＩＣＯＭオブジェクトを読み込む読込手段と、
前記ＤＩＣＯＭ管理サーバとデータの送受信を行う通信手段と、
前記読込手段により読み込まれたＤＩＣＯＭオブジェクトに含まれる付帯情報に基づいて、当該ＤＩＣＯＭオブジェクトに関連するＤＩＣＯＭオブジェクトを、前記通信手段を介して前記ＤＩＣＯＭ管理サーバから取得し、当該取得したＤＩＣＯＭオブジェクトと前記読込手段により読み込まれたＤＩＣＯＭオブジェクトとに基づいて、各ＤＩＣＯＭオブジェクトに関する医療データを画面にそれぞれ表示させる制御手段と、
を備えるＤＩＣＯＭワークステーション。
【請求項６】
前記制御手段は、前記読込手段により読み込まれたＤＩＣＯＭオブジェクトに関連するＤＩＣＯＭオブジェクトを取得可能か否かを前記通信手段を介して前記ＤＩＣＯＭ管理サーバに問い合わせ、取得不可能の場合、その旨を画面に表示させる、
請求項５に記載のＤＩＣＯＭワークステーション。
【請求項７】
前記ＤＩＣＯＭオブジェクトは、医用画像のデータを含み、
前記制御手段は、当該医用画像のデータを含んだ医療データを画面に表示させる、
請求項５又は６に記載のＤＩＣＯＭワークステーション。
【請求項８】
前記ＤＩＣＯＭオブジェクトは、所見レポートのデータを含み、
前記制御手段は、当該所見レポートのデータを含んだ医療データを画面に表示させる、
請求項５又は６に記載のＤＩＣＯＭワークステーション。
【請求項９】
コンピュータを、
可搬型記憶媒体に記憶されたＤＩＣＯＭオブジェクトを読み込む読込手段、
ＤＩＣＯＭオブジェクトを管理するＤＩＣＯＭ管理サーバとデータの送受信を行う通信手段、
前記読込手段により読み込まれたＤＩＣＯＭオブジェクトに含まれる付帯情報に基づいて、当該ＤＩＣＯＭオブジェクトに関連するＤＩＣＯＭオブジェクトを、前記通信手段を介して前記ＤＩＣＯＭ管理サーバから取得し、当該取得したＤＩＣＯＭオブジェクトと前記読込手段により読み込まれたＤＩＣＯＭオブジェクトとに基づいて、各ＤＩＣＯＭオブジェクトに関する医療データを画面にそれぞれ表示させる制御手段、
として機能させるためのプログラム。
【請求項１０】
前記制御手段は、前記読込手段により読み込まれたＤＩＣＯＭオブジェクトに関連するＤＩＣＯＭオブジェクトを取得可能か否かを前記通信手段を介して前記ＤＩＣＯＭ管理サーバに問い合わせ、取得不可能の場合、その旨を画面に表示させる、
請求項９に記載のプログラム。
【請求項１１】
前記ＤＩＣＯＭオブジェクトは、医用画像のデータを含み、
前記制御手段は、当該医用画像のデータを含んだ医療データを画面に表示させる、
請求項９又は１０に記載のプログラム。
【請求項１２】
前記ＤＩＣＯＭオブジェクトは、所見レポートのデータを含み、
前記制御手段は、当該所見レポートのデータを含んだ医療データを画面に表示させる、
請求項９又は１０に記載のプログラム。
【発明の詳細な説明】
【技術分野】
【０００１】
本発明は、ＤＩＣＯＭシステム、ＤＩＣＯＭワークステーション及びプログラムに関する。
【背景技術】
【０００２】
近年、多くの医療機関において情報のデジタル化が図られている。例えば、ＣＲ（Computed Radiography）装置、ＣＴ（Computed Tomography）装置、ＭＲＩ（Magnetic Resonance Imaging）装置等の画像生成装置（モダリティ）は、撮影により得られた医用画像の画像データに付帯情報を付帯させて、ＤＩＣＯＭ（Digital Imaging and Communications in Medicine）規格に則ったＤＩＣＯＭ画像オブジェクトを生成する。
【０００３】
また、画像サーバ（ＤＩＣＯＭ管理サーバ）は、モダリティにおいて生成されたＤＩＣＯＭ画像オブジェクトを記憶管理する。画像サーバがＤＩＣＯＭ画像オブジェクトを管理する技術として、例えば、付帯情報に含まれる検査情報（スタディ属性）、シリーズ情報（シリーズ属性）等に基づいた階層関係で、ＤＩＣＯＭ画像オブジェクトを管理するものが提案されている（特許文献１参照）。
【０００４】
ところで、異なる医療施設（例えば、患者の紹介元の病院と、患者の紹介先の病院）で、同一患者に対して同じ検査を実施することは、モダリティの撮影による放射線被爆量や医療コスト等、様々な負担を患者に強いることになる。
【０００５】
このような多重検査を防ぐために、ＣＤ―Ｒ等のメディア（可搬型記憶媒体）を介して医用画像（ＤＩＣＯＭ画像オブジェクト）のデータ移送が行われている。例えば、患者の紹介元の病院において撮影が行われ、当該撮影により生成された医用画像（ＤＩＣＯＭ画像オブジェクト）がメディアに書き込まれる。そして、患者は、当該メディアを受け取り、紹介先の病院に持っていく。そして、紹介先の病院では、新たに、患者の撮影（検査）を行わずに、当該メディアに書き込まれたＤＩＣＯＭ画像オブジェクトを参照して、患者の診断（読影）が行われる。
【０００６】
これらのメディアには、ＩＨＥ（Integrating Healthcare Enterprise）およびＩＨＥ−Ｊ（Integrating Healthcare Enterprise - Japan）のＰＤＩ（Portable Data for Imaging）によって定められたデータ構造に則って、ＤＩＣＯＭ画像オブジェクトが書き込まれるため、異なる医療施設間や、異なるベンダのシステム間において、当該ＤＩＣＯＭ画像オブジェクトのデータ移送、データ参照が可能になっている。
【０００７】
また、患者の紹介先の医療施設（病院）において、当該医療施設の画像サーバが保持するＤＩＣＯＭ画像オブジェクトを参照しながら、メディアに書き込まれたＤＩＣＯＭ画像オブジェクトの読影、即ち比較読影が行われる場合がある。ここで、患者の紹介先の医療施設の画像サーバに保持されている前記ＤＩＣＯＭオブジェクトは、過去検査において生成されたＤＩＣＯＭ画像オブジェクトである。
【特許文献１】特開２００２−１３３３９３号公報
【発明の開示】
【発明が解決しようとする課題】
【０００８】
ところで、患者の紹介先の医療施設で比較読影を行う場合、以下のような作業を行う必要があり不便であった。即ち、メディアに書き込まれたＤＩＣＯＭ画像オブジェクトを画像サーバに取り込ませる。そして、画像ビューワ端末（ＤＩＣＯＭワークステーション）に、前記取り込ませたＤＩＣＯＭ画像オブジェクトを画像サーバから取得させる。更に、画像ビューワ端末に、前記取り込ませたＤＩＣＯＭ画像オブジェクトの過去検査におけるＤＩＣＯＭオブジェクトを画像サーバから取得させる必要があった。
【０００９】
また、画像ビューワ端末に、過去検査におけるＤＩＣＯＭオブジェクトを画像サーバから取得させる際、患者の紹介先と紹介元のそれぞれの医療施設で管理されている患者ＩＤが異なる場合は、ユーザが、患者名、患者の生年月日、患者の性別等のような、同一患者であることが期待できる条件を手入力する必要があった。
【００１０】
本発明は、上述したような課題に鑑みて為されたものであり、その目的とするところは、可搬型記憶媒体に記憶されているＤＩＣＯＭオブジェクトに対する比較読影を行う際の、ユーザの利便性を向上させることである。
【課題を解決するための手段】
【００１１】
上記の課題を解決するために、請求項１に記載の発明は、
ＤＩＣＯＭオブジェクトを管理するＤＩＣＯＭ管理サーバと、当該ＤＩＣＯＭ管理サーバのクライアント端末であるＤＩＣＯＭワークステーションとが通信ネットワークを介してデータ通信可能に接続されたＤＩＣＯＭシステムであって、
前記ＤＩＣＯＭワークステーションは、
可搬型記憶媒体に記憶されたＤＩＣＯＭオブジェクトを読み込む読込手段と、
前記読込手段により読み込まれたＤＩＣＯＭオブジェクトに含まれる付帯情報に基づいて、当該ＤＩＣＯＭオブジェクトに関連するＤＩＣＯＭオブジェクトを、前記ＤＩＣＯＭ管理サーバから取得し、当該取得したＤＩＣＯＭオブジェクトと前記読込手段により読み込まれたＤＩＣＯＭオブジェクトとに基づいて、各ＤＩＣＯＭオブジェクトに関する医療データを画面にそれぞれ表示させる制御手段と、
を備える。
【００１２】
請求項２に記載の発明は、請求項１に記載の発明において、
前記制御手段は、前記読込手段により読み込まれたＤＩＣＯＭオブジェクトに関連するＤＩＣＯＭオブジェクトを取得可能か否かを前記ＤＩＣＯＭ管理サーバに問い合わせ、取得不可能の場合、その旨を画面に表示させる。
【００１３】
請求項３に記載の発明は、請求項１又は２に記載の発明において、
前記ＤＩＣＯＭオブジェクトは、医用画像のデータを含み、
前記制御手段は、当該医用画像のデータを含んだ医療データを画面に表示させる。
【００１４】
請求項４に記載の発明は、請求項１又は２に記載の発明において、
前記ＤＩＣＯＭオブジェクトは、所見レポートのデータを含み、
前記制御手段は、当該所見レポートのデータを含んだ医療データを画面に表示させる。
【００１５】
請求項５に記載の発明は、
ＤＩＣＯＭオブジェクトを管理するＤＩＣＯＭ管理サーバのクライアント端末であるＤＩＣＯＭワークステーションであって、
可搬型記憶媒体に記憶されたＤＩＣＯＭオブジェクトを読み込む読込手段と、
前記ＤＩＣＯＭ管理サーバとデータの送受信を行う通信手段と、
前記読込手段により読み込まれたＤＩＣＯＭオブジェクトに含まれる付帯情報に基づいて、当該ＤＩＣＯＭオブジェクトに関連するＤＩＣＯＭオブジェクトを、前記通信手段を介して前記ＤＩＣＯＭ管理サーバから取得し、当該取得したＤＩＣＯＭオブジェクトと前記読込手段により読み込まれたＤＩＣＯＭオブジェクトとに基づいて、各ＤＩＣＯＭオブジェクトに関する医療データを画面にそれぞれ表示させる制御手段と、
を備える。
【００１６】
請求項６に記載の発明は、請求項５に記載の発明において、
前記制御手段は、前記読込手段により読み込まれたＤＩＣＯＭオブジェクトに関連するＤＩＣＯＭオブジェクトを取得可能か否かを前記通信手段を介して前記ＤＩＣＯＭ管理サーバに問い合わせ、取得不可能の場合、その旨を画面に表示させる。
【００１７】
請求項７に記載の発明は、請求項５又は６に記載の発明において、
前記ＤＩＣＯＭオブジェクトは、医用画像のデータを含み、
前記制御手段は、当該医用画像のデータを含んだ医療データを画面に表示させる。
【００１８】
請求項８に記載の発明は、請求項５又は６に記載の発明において、
前記ＤＩＣＯＭオブジェクトは、所見レポートのデータを含み、
前記制御手段は、当該所見レポートのデータを含んだ医療データを画面に表示させる。
【００１９】
請求項９に記載のプログラムは、
コンピュータを、
可搬型記憶媒体に記憶されたＤＩＣＯＭオブジェクトを読み込む読込手段、
ＤＩＣＯＭオブジェクトを管理するＤＩＣＯＭ管理サーバとデータの送受信を行う通信手段、
前記読込手段により読み込まれたＤＩＣＯＭオブジェクトに含まれる付帯情報に基づいて、当該ＤＩＣＯＭオブジェクトに関連するＤＩＣＯＭオブジェクトを、前記通信手段を介して前記ＤＩＣＯＭ管理サーバから取得し、当該取得したＤＩＣＯＭオブジェクトと前記読込手段により読み込まれたＤＩＣＯＭオブジェクトとに基づいて、各ＤＩＣＯＭオブジェクトに関する医療データを画面にそれぞれ表示させる制御手段、
として機能させる。
【００２０】
請求項１０に記載の発明は、請求項９に記載の発明において、
前記制御手段は、前記読込手段により読み込まれたＤＩＣＯＭオブジェクトに関連するＤＩＣＯＭオブジェクトを取得可能か否かを前記通信手段を介して前記ＤＩＣＯＭ管理サーバに問い合わせ、取得不可能の場合、その旨を画面に表示させる。
【００２１】
請求項１１に記載の発明は、請求項９又は１０に記載の発明において、
前記ＤＩＣＯＭオブジェクトは、医用画像のデータを含み、
前記制御手段は、当該医用画像のデータを含んだ医療データを画面に表示させる。
【００２２】
請求項１２に記載の発明は、請求項９又は１０に記載の発明において、
前記ＤＩＣＯＭオブジェクトは、所見レポートのデータを含み、
前記制御手段は、当該所見レポートのデータを含んだ医療データを画面に表示させる。
【発明の効果】
【００２３】
請求項１、５、９に記載の発明によれば、ＤＩＣＯＭワークステーションは、可搬型記憶媒体から読み込んだＤＩＣＯＭオブジェクトに含まれる付帯情報に基づいて、当該ＤＩＣＯＭオブジェクトに関連するＤＩＣＯＭオブジェクトをＤＩＣＯＭ管理サーバから取得する。そして、ＤＩＣＯＭワークステーションは、当該取得したＤＩＣＯＭオブジェクトと前記可搬型記憶媒体から読み込んだＤＩＣＯＭオブジェクトとに基づいて、各ＤＩＣＯＭオブジェクトに関する医療データを画面にそれぞれ表示させる。
【００２４】
よって、可搬型記憶媒体に記憶されているＤＩＣＯＭオブジェクトに対する比較読影を行う際の、ユーザの利便性を向上させることができる。
【００２５】
請求項２、６、１０に記載の発明によれば、可搬型記憶媒体から読み込んだＤＩＣＯＭオブジェクトに関連するＤＩＣＯＭオブジェクトを取得不可能な場合、ユーザは、その旨を知ることができる。
【００２６】
請求項３、７、１１に記載の発明によれば、ユーザは、医用画像のデータを参照して、比較読影を行うことができる。
【００２７】
請求項４、８、１２に記載の発明によれば、ユーザは、所見レポートのデータを参照して、比較読影を行うことができる。
【発明を実施するための最良の形態】
【００２８】
以下、図面を参照して本発明の一実施形態について説明する。
【００２９】
[ＤＩＣＯＭシステムのシステム構成]
図１に、ＤＩＣＯＭシステム１のシステム構成を示す。図１に示すように、ＤＩＣＯＭシステム１は、Ａ病院内ＤＩＣＯＭシステム１００とＢ病院内ＤＩＣＯＭシステム２００とから構成されている。
【００３０】
Ａ病院内ＤＩＣＯＭシステム１００は、Ａ病院内におけるＤＩＣＯＭシステムである。Ａ病院内ＤＩＣＯＭシステム１００は、ＲＩＳ（Radiological Information System：放射線情報システム）１０と、モダリティ２０と、ＤＩＣＯＭワークステーション３０と、ＤＩＣＯＭ管理サーバ４０と、図示しないその他の装置とから構成されており、各装置は通信ネットワークＮ１を介してデータ通信可能に接続されている。
【００３１】
ＲＩＳ１０は、Ａ病院の放射線科部門内における診療予約、診断結果のレポート、実績管理、材料在庫管理等の情報管理を行う。ＲＩＳ１０は、図示しない電子カルテシステムから受信した撮影オーダ情報をモダリティ２０及びＤＩＣＯＭ管理サーバ４０に送信する。
【００３２】
モダリティ２０は、ＲＩＳ１０から受信した撮影オーダ情報に従って、患者を撮影し、医用画像の画像データを生成する撮影装置である。また、モダリティ２０は、前記撮影オーダ情報に基づいて、前記画像データに関する付帯情報を生成する。そして、モダリティ２０は、前記画像データに当該付帯情報を付帯させて、ＤＩＣＯＭ規格に則ったＤＩＣＯＭオブジェクトを生成し、ＤＩＣＯＭ管理サーバ４０に送信する。モダリティ２０としては、ＣＲ装置、ＣＴ装置、ＭＲＩ装置等、様々な種類の医用画像を撮影する撮影装置が適用可能である。
【００３３】
図２に、ＤＩＣＯＭオブジェクトのデータ構成を示す。図２に示すようにＤＩＣＯＭオブジェクトは、付帯情報と実データとから構成される。実データとは、医用画像の画像データや、当該医用画像に関する所見レポートのデータである。モダリティ２０が生成するＤＩＣＯＭオブジェクトの実データは医用画像の画像データとなる。また、後述するＤＩＣＯＭワークステーション３０が生成するＤＩＣＯＭオブジェクトの実データは所見レポートのデータとなる。
【００３４】
また、付帯情報は、患者情報、検査情報、シリーズ情報及びオブジェクト情報を含む。患者情報は、患者ＩＤ、患者名、生年月日、性別等の患者に関する情報である。検査情報は、検査を識別する検査インスタンスＵＩＤ、検査日、検査時刻、受付番号、担当医師、検査種類、施設等の検査に関する情報である。シリーズ情報は、一つの検査の中で生成されるモダリティ毎の一連の医用画像の単位（シリーズ）や、一つの検査に対応する所見レポートに関する情報である。シリーズ情報には、シリーズを識別するシリーズインスタンスＵＩＤ、シリーズ番号、モダリティ名、検査部位等の情報が含まれる。オブジェクト情報は、ＤＩＣＯＭオブジェクトを識別するＳＯＰインスタンスＵＩＤ、オブジェクト番号（画像番号やレポート番号）等のＤＩＣＯＭオブジェクトに関する情報である。
【００３５】
また、一人の患者に対して一又は複数の検査が関連付けられる。そのため、患者情報と検査情報との間には、一対一、又は一対複数の関連がある。また、一検査に対して一又は複数のシリーズが関連付けられる。そのため、検査情報とシリーズ情報との間には、一対一、又は一対複数の関連がある。また、一シリーズに対して一又は複数のＤＩＣＯＭオブジェクトが関連付けられる。そのため、シリーズ情報とオブジェクト情報との間には、一対一、又は一対複数の関連がある。
【００３６】
また、ＤＩＣＯＭオブジェクトの実データが医用画像の画像データである場合、当該実データは、医用画像一枚に対応する画像データである。また、ＤＩＣＯＭオブジェクトの実データが所見レポートのデータである場合、当該実データは、一つの検査に対応する所見レポートに対応するデータである。
【００３７】
具体的に、ある検査Ａにおいて、１つのモダリティで１００枚医用画像が生成され、検査Ａにおける所見レポートを作成した場合、実データが医用画像のデータであるＤＩＣＯＭオブジェクトが１００個、実データが所見レポートのデータであるＤＩＣＯＭオブジェクトが１個生成されることになる。
【００３８】
以下、ＤＩＣＯＭオブジェクトの実データ（医用画像の画像データ）に基づいて表示される医用画像をＤＩＣＯＭ画像と称す場合がある。また、実データが医用画像のデータであるＤＩＣＯＭオブジェクトをＤＩＣＯＭ画像オブジェクト、実データが所見レポートのデータであるＤＩＣＯＭオブジェクトをＤＩＣＯＭレポートオブジェクトと称す場合がある。
【００３９】
図１に戻り、ＤＩＣＯＭ管理サーバ４０は、モダリティ２０において生成された、実データが医用画像のデータであるＤＩＣＯＭオブジェクト（ＤＩＣＯＭ画像オブジェクト）を記憶し、管理する（記憶管理する）情報処理装置である。ＤＩＣＯＭ管理サーバ４０としてＰＡＣＳ（Picture Archiving and Communication System）等が適用可能である。
【００４０】
また、ＤＩＣＯＭ管理サーバ４０は、ＤＩＣＯＭワークステーション３０において生成された、実データが所見レポートのデータであるＤＩＣＯＭオブジェクト（ＤＩＣＯＭレポートオブジェクト）を記憶し、管理する。
【００４１】
ＤＩＣＯＭ管理サーバ４０は、外部機器からＤＩＣＯＭオブジェクトの取得要求を受信した場合、当該取得要求に応じたＤＩＣＯＭオブジェクトを当該外部機器に送信（提供）する。また、ＤＩＣＯＭ管理サーバ４０は、外部機器から付帯情報取得要求を受信した場合、当該取得要求に応じた、ＤＩＣＯＭオブジェクトに含まれる付帯情報を当該外部機器に送信する。
【００４２】
また、ＤＩＣＯＭ管理サーバ４０は、ＩＨＥおよびＩＨＥ−ＪのＰＤＩによって定められたデータ構造に則って、ＣＤ−ＲやＤＶＤ−Ｒ等のメディアＭ（可搬型記憶媒体）にＤＩＣＯＭオブジェクト等を書き込む（ＥＸＰＯＲＴする）。
【００４３】
ＤＩＣＯＭワークステーション３０は、高精細モニタを有し、当該高精細モニタにＤＩＣＯＭ画像を表示する端末である。ＤＩＣＯＭワークステーション３０は、読影医等によるユーザ操作に基づき、ＤＩＣＯＭ管理サーバ４０にＤＩＣＯＭ画像オブジェクト取得要求を送信し、当該取得要求に応じたＤＩＣＯＭ画像オブジェクトを取得する。そして、当該ＤＩＣＯＭ画像オブジェクトに基づきモニタに医用画像（ＤＩＣＯＭ画像）を表示する。
【００４４】
また、ＤＩＣＯＭワークステーション３０は、読影医等によるユーザ操作に基づき、読影結果である所見レポートのデータを生成する。また、ＤＩＣＯＭワークステーション３０は、ＤＩＣＯＭ管理サーバ４０から取得したＤＩＣＯＭ画像オブジェクトに含まれる付帯情報に基づいて、所見レポートのデータに付帯させる付帯情報を生成する。そして、ＤＩＣＯＭワークステーション３０は、前記所見レポートのデータに当該付帯情報を付帯させて、ＤＩＣＯＭ規格に則ったＤＩＣＯＭレポートオブジェクトを生成し、ＤＩＣＯＭ管理サーバ４０に送信する。そして、ＤＩＣＯＭ管理サーバ４０は、送信されたＤＩＣＯＭレポートオブジェクトを記憶し管理する。
【００４５】
Ｂ病院内ＤＩＣＯＭシステム２００は、Ｂ病院内におけるＤＩＣＯＭシステムである。Ｂ病院内ＤＩＣＯＭシステム２００は、ＲＩＳ５０と、ＤＩＣＯＭワークステーション６０と、モダリティ７０と、ＤＩＣＯＭ管理サーバ８０と、図示しないその他の装置とから構成されており、各装置は通信ネットワークＮ２を介してデータ通信可能に接続されている。
【００４６】
ＲＩＳ５０は、Ｂ病院の放射線科部門内における診療予約、診断結果のレポート、実績管理、材料在庫管理等の情報管理を行う。ＲＩＳ５０は、図示しない電子カルテシステムから受信した撮影オーダ情報をモダリティ７０及びＤＩＣＯＭ管理サーバ８０に送信する。
【００４７】
モダリティ７０は、ＲＩＳ５０から受信した撮影オーダ情報に従って、患者を撮影し、医用画像の画像データを生成する撮影装置である。また、モダリティ７０は、前記撮影オーダ情報に基づいて、前記画像データに関する付帯情報を生成する。そして、モダリティ７０は、前記画像データに当該付帯情報を付帯させて、ＤＩＣＯＭ規格に則ったＤＩＣＯＭ画像オブジェクトを生成し、ＤＩＣＯＭ管理サーバ８０に送信する。モダリティ７０としては、ＣＲ装置、ＣＴ装置、ＭＲＩ装置等、様々な種類の医用画像を撮影する撮影装置が適用可能である。
【００４８】
ＤＩＣＯＭ管理サーバ８０は、モダリティ７０において生成された、実データが医用画像のデータであるＤＩＣＯＭオブジェクト（ＤＩＣＯＭ画像オブジェクト）を記憶し、管理する（記憶管理する）情報処理装置である。ＤＩＣＯＭ管理サーバ８０としてＰＡＣＳ等が適用可能である。
【００４９】
また、ＤＩＣＯＭ管理サーバ８０は、ＤＩＣＯＭワークステーション６０において生成された、実データが所見レポートのデータであるＤＩＣＯＭオブジェクト（ＤＩＣＯＭレポートオブジェクト）を記憶し、管理する。
【００５０】
ＤＩＣＯＭ管理サーバ８０は、外部機器からＤＩＣＯＭオブジェクトの取得要求を受信した場合、当該取得要求に応じたＤＩＣＯＭオブジェクトを当該外部機器に送信（提供）する。また、ＤＩＣＯＭ管理サーバ８０は、外部機器から付帯情報取得要求を受信した場合、当該取得要求に応じた、ＤＩＣＯＭオブジェクトに含まれる付帯情報を当該外部機器に送信する。
【００５１】
ＤＩＣＯＭワークステーション６０は、高精細モニタを有し、当該高精細モニタにＤＩＣＯＭ画像を表示する端末である。ＤＩＣＯＭワークステーション６０は、読影医等によるユーザ操作に基づき、ＤＩＣＯＭ管理サーバ８０等の外部機器にＤＩＣＯＭ画像オブジェクト取得要求を送信し、当該取得要求に応じたＤＩＣＯＭ画像オブジェクトを取得する。そして、当該ＤＩＣＯＭ画像オブジェクトに基づきモニタに医用画像（ＤＩＣＯＭ画像）を表示する。
【００５２】
また、ＤＩＣＯＭワークステーション６０は、メディアＭから各種データを読み出す。ＤＩＣＯＭワークステーション６０は、Ａ病院内ＤＩＣＯＭシステム１００のＤＩＣＯＭ管理サーバ４０において書き込まれたＤＩＣＯＭオブジェクト（ＤＩＣＯＭ画像オブジェクト、ＤＩＣＯＭレポートオブジェクト）等をメディアＭから読み出し、比較読影画面６３１（図８参照）の表示等を行う。比較読影画面６３１については後述する。
【００５３】
また、ＤＩＣＯＭワークステーション６０は、読影医等によるユーザ操作に基づき、読影結果である所見レポートのデータを生成する。また、ＤＩＣＯＭワークステーション６０は、ＤＩＣＯＭ管理サーバ８０等から取得したＤＩＣＯＭ画像オブジェクトやメディアＭから読み出したＤＩＣＯＭオブジェクトに含まれる付帯情報に基づいて、所見レポートのデータに付帯させる付帯情報を生成する。そして、ＤＩＣＯＭワークステーション６０は、前記所見レポートのデータに当該付帯情報を付帯させて、ＤＩＣＯＭ規格に則ったＤＩＣＯＭレポートオブジェクトを生成し、ＤＩＣＯＭ管理サーバ８０に送信する。そして、ＤＩＣＯＭ管理サーバ８０は、送信されたＤＩＣＯＭレポートオブジェクトを記憶し管理する。
【００５４】
[ＤＩＣＯＭ管理サーバ（Ａ病院）の機能的構成]
図３に、Ａ病院内ＤＩＣＯＭシステム１００を構成するＤＩＣＯＭ管理サーバ４０の機能的構成を示す。
【００５５】
図３に示すように、ＤＩＣＯＭ管理サーバ４０は、制御部４１、操作部４２、表示部４３、通信部４４、記憶部４５、メディアドライブ４６を備えて構成され、各部はバス４７により接続されている。
【００５６】
制御部４１は、ＣＰＵ（Central Processing Unit）、ＲＡＭ（Random Access Memory）等から構成され、ＤＩＣＯＭ管理サーバ４０の各部の処理動作を統括的に制御する。具体的には、ＣＰＵは、操作部４２から入力される操作信号又は通信部４４により受信される指示信号に応じて、記憶部４５に記憶されている各種処理プログラムを読み出し、ＲＡＭ内に形成されたワークエリアに展開し、当該プログラムとの協働により各種処理を行う。
【００５７】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００５８】
表示部４３は、ＬＣＤ（Liquid Crystal Display）により構成され、制御部４１から入力される表示データに基づいて各種画面を表示する。
【００５９】
通信部４４は、ＬＡＮ（Local Area Network）アダプタ、ルータ、ＴＡ（Terminal Adapter）等を備え、通信ネットワークＮ１を介して接続されたＲＩＳ１０、モダリティ２０、ＤＩＣＯＭワークステーション３０等の外部機器との間でデータの送受信を行う。
【００６０】
記憶部４５は、ハードディスク等から構成され、制御プログラム、当該プログラムの実行に必要なパラメータやファイル等を記憶している。また、記憶部４５は、モダリティ２０により生成された一又は複数のＤＩＣＯＭオブジェクト（ＤＩＣＯＭ画像オブジェクト）を記憶する。また、記憶部４５は、ＤＩＣＯＭワークステーション３０により生成された一又は複数のＤＩＣＯＭオブジェクト（ＤＩＣＯＭレポートオブジェクト）を記憶する。また、記憶部４５は、ＤＩＣＯＭオブジェクトを管理するデータベースプログラムを記憶する（図示せず）。
【００６１】
メディアドライブ４６は、制御部４１からの制御信号に基づき、メディアＭに各種データを書き込む。また、メディアドライブ４６は、制御部４１からの制御信号に基づき、メディアＭに記憶されているデータを読み出す。
【００６２】
制御部４１は、操作部４２からの操作信号等に基づいて、記憶部４５に一又は複数のＤＩＣＯＭオブジェクトの中から特定のＤＩＣＯＭオブジェクトを選択し、当該選択したＤＩＣＯＭオブジェクトを記憶部４５から読み出し、メディアドライブ４６を介してメディアＭに書き込む。
【００６３】
制御部４１は、記憶部４５に記憶されたデータベースプログラムと協働して、記憶部４５に記憶されているＤＩＣＯＭオブジェクトを管理する。
【００６４】
制御部４１は、通信部４４を介して、外部機器からＤＩＣＯＭオブジェクトを受信すると、当該ＤＩＣＯＭオブジェクトを記憶部４５に記憶させ、データベースに登録する（管理する）。
【００６５】
制御部４１は、通信部４４を介して、外部機器からＤＩＣＯＭ画像オブジェクト取得要求を受信すると、当該ＤＩＣＯＭ画像オブジェクト取得要求に応じたＤＩＣＯＭ画像オブジェクト（実データが医用画像のデータであるＤＩＣＯＭオブジェクト）を記憶部４５から読み出す。そして、制御部４１は、通信部４４を介して、当該読み出したＤＩＣＯＭ画像オブジェクトを外部機器に送信（提供）する。
【００６６】
また、制御部４１は、通信部４４を介して、外部機器からＤＩＣＯＭレポートオブジェクト取得要求を受信すると、当該ＤＩＣＯＭレポートオブジェクト取得要求に応じたＤＩＣＯＭレポートオブジェクト（実データが所見レポートのデータであるＤＩＣＯＭオブジェクト）を記憶部４５から読み出す。そして、制御部４１は、通信部４４を介して、当該読み出したＤＩＣＯＭレポートオブジェクトを外部機器に送信（提供）する。
【００６７】
また、制御部４１は、通信部４４を介して、外部機器から付帯情報取得要求を受信すると、当該付帯情報取得要求に応じた、ＤＩＣＯＭオブジェクトに含まれる付帯情報を記憶部４５から読み出す。そして、制御部４１は、通信部４４を介して、当該読み出した付帯情報を外部機器に送信（提供）する。
【００６８】
[ＤＩＣＯＭ管理サーバ（Ｂ病院）の機能的構成]
図４に、Ｂ病院内ＤＩＣＯＭシステム２００を構成するＤＩＣＯＭ管理サーバ８０の機能的構成を示す。
【００６９】
図４に示すように、ＤＩＣＯＭ管理サーバ８０は、制御部８１、操作部８２、表示部８３、通信部８４、記憶部８５を備えて構成され、各部はバス８６により接続されている。
【００７０】
制御部８１は、ＣＰＵ、ＲＡＭ等から構成され、ＤＩＣＯＭ管理サーバ８０の各部の処理動作を統括的に制御する。具体的には、ＣＰＵは、操作部８２から入力される操作信号又は通信部８４により受信される指示信号に応じて、記憶部８５に記憶されている各種処理プログラムを読み出し、ＲＡＭ内に形成されたワークエリアに展開し、当該プログラムとの協働により各種処理を行う。
【００７１】
操作部８２は、カーソルキー、数字入力キー、及び各種機能キー等を備えたキーボードと、マウス等のポインティングデバイスを備えて構成され、キーボードに対するキー操作やマウス操作により入力された操作信号を制御部８１に出力する。
【００７２】
表示部８３は、ＬＣＤにより構成され、制御部８１から入力される表示データに基づいて各種画面を表示する。
【００７３】
通信部８４は、ＬＡＮアダプタ、ルータ、ＴＡ等を備え、通信ネットワークＮ２を介して接続されたＲＩＳ５０、モダリティ７０、ＤＩＣＯＭワークステーション６０等の外部機器との間でデータの送受信を行う。
【００７４】
記憶部８５は、ハードディスク等から構成され、制御プログラム、当該プログラムの実行に必要なパラメータやファイル等を記憶している。また、記憶部８５は、モダリティ７０により生成された一又は複数のＤＩＣＯＭオブジェクト（ＤＩＣＯＭ画像オブジェクト）を記憶する。また、記憶部８５は、ＤＩＣＯＭワークステーション６０により生成された一又は複数のＤＩＣＯＭオブジェクト（ＤＩＣＯＭレポートオブジェクト）を記憶する。また、記憶部８５は、ＤＩＣＯＭオブジェクトを管理するデータベースプログラムを記憶する（図示せず）。
【００７５】
制御部８１は、記憶部８５に記憶されたデータベースプログラムと協働して、記憶部８５に記憶されているＤＩＣＯＭオブジェクトを管理する。
【００７６】
制御部８１は、通信部８４を介して、外部機器からＤＩＣＯＭオブジェクトを受信すると、当該ＤＩＣＯＭオブジェクトを記憶部８５に記憶させ、データベースに登録する（管理する）。
【００７７】
制御部８１は、通信部８４を介して、外部機器からＤＩＣＯＭ画像オブジェクト取得要求を受信すると、当該ＤＩＣＯＭ画像オブジェクト取得要求に応じたＤＩＣＯＭ画像オブジェクト（実データが医用画像のデータであるＤＩＣＯＭオブジェクト）を記憶部８５から読み出す。そして、制御部８１は、通信部８４を介して、当該読み出したＤＩＣＯＭ画像オブジェクトを外部機器に送信（提供）する。
【００７８】
また、制御部８１は、通信部８４を介して、外部機器からＤＩＣＯＭレポートオブジェクト取得要求を受信すると、当該ＤＩＣＯＭレポートオブジェクト取得要求に応じたＤＩＣＯＭレポートオブジェクト（実データが所見レポートのデータであるＤＩＣＯＭオブジェクト）を記憶部８５から読み出す。そして、制御部８１は、通信部８４を介して、当該読み出したＤＩＣＯＭレポートオブジェクトを外部機器に送信（提供）する。
【００７９】
また、制御部８１は、通信部８４を介して、外部機器から付帯情報取得要求を受信すると、当該付帯情報取得要求に応じた、ＤＩＣＯＭオブジェクトに含まれる付帯情報を記憶部８５から読み出す。そして、制御部８１は、通信部８４を介して、当該読み出した付帯情報を外部機器に送信（提供）する。
【００８０】
[ＤＩＣＯＭワークステーション（Ｂ病院）の機能的構成]
図５に、Ｂ病院内ＤＩＣＯＭシステム２００を構成するＤＩＣＯＭワークステーション６０の機能的構成を示す。図５に示すように、ＤＩＣＯＭワークステーション６０は、制御部６１、操作部６２、表示部６３、通信部６４、記憶部６５、メディアドライブ６６を備えて構成され、各部はバス６７により接続されている。
【００８１】
制御部６１は、ＣＰＵ、ＲＡＭ等から構成され、ＤＩＣＯＭワークステーション６０の各部の処理動作を統括的に制御する。具体的には、ＣＰＵは、操作部６２から入力される操作信号又は通信部６４により受信される指示信号に応じて、記憶部６５に記憶されている各種処理プログラムを読み出し、ＲＡＭ内に形成されたワークエリアに展開し、当該プログラムとの協働により各種処理を行う。
【００８２】
操作部６２は、カーソルキー、数字入力キー、及び各種機能キー等を備えたキーボードと、マウス等のポインティングデバイスを備えて構成され、キーボードに対するキー操作やマウス操作により入力された操作信号を制御部６１に出力する。
【００８３】
表示部６３は、ＬＣＤにより構成され、制御部６１から入力される表示データに基づいて各種画面を表示する。
【００８４】
通信部６４は、ＬＡＮアダプタ、ルータ、ＴＡ等を備え、通信ネットワークＮ２を介して接続されたＤＩＣＯＭ管理サーバ８０等の外部機器との間でデータの送受信を行う。
【００８５】
メディアドライブ６６は、制御部６１からの制御信号に基づき、メディアＭに各種データを書き込む。また、メディアドライブ６６は、制御部６１からの制御信号に基づき、メディアＭに記憶されているデータを読み出す。
【００８６】
記憶部６５は、ハードディスク等から構成され、制御プログラム、当該プログラムの実行に必要なパラメータやファイル等を記憶している。
【００８７】
また、記憶部６５は、比較読影支援プログラム６５１を記憶している。比較読影支援プログラム６５１とは、ＤＩＣＯＭワークステーション６０に対して、メディアドライブ６６を介してメディアＭから読み込んだＤＩＣＯＭオブジェクトに含まれる付帯情報に基づいて、当該ＤＩＣＯＭオブジェクトに関連するＤＩＣＯＭオブジェクトを、ＤＩＣＯＭ管理サーバから取得させ、当該取得したＤＩＣＯＭオブジェクトとメディアＭから読み込んだＤＩＣＯＭオブジェクトとに基づいて、各ＤＩＣＯＭオブジェクトに関する医療データを画面にそれぞれ表示させるためのプログラムである。
【００８８】
また、記憶部６５は、ＤＩＣＯＭ管理サーバ所在情報６５２を記憶している。ＤＩＣＯＭ管理サーバ所在情報６５２とは、Ｂ病院内ＤＩＣＯＭシステム２００内におけるＤＩＣＯＭ管理サーバ（ＤＩＣＯＭ管理サーバ８０）の所在を示す情報である。具体的には、ＤＩＣＯＭ管理サーバの「ＩＰアドレス」、「ポート番号」、「ＡＥタイトル」の項目から構成される。ここで、「ＡＥタイトル」とは、ＤＩＣＯＭ規格に則った各機器の識別名である。当該ＤＩＣＯＭ管理サーバ所在情報６５２の各項目は、ユーザ操作による操作部６２からの操作信号に基づき、予め設定されていることとしてもよいし、比較読影支援プログラム６５１が起動されてから設定されることとしてもよい。
【００８９】
制御部６１は、メディアドライブ６６を介して、メディアＭからＤＩＣＯＭオブジェクトを読み込むと、記憶部６５から比較読影支援プログラム６５１を読み出し、当該比較読影支援プログラム６５１を起動する。尚、制御部６１は、ＤＩＣＯＭワークステーション６０に電源が入れられると同時に、記憶部６５から比較読影支援プログラム６５１を読み出し、当該比較読影支援プログラム６５１を起動する構成としてもよい。
【００９０】
そして、制御部６１は、比較読影支援プログラム６５１と協働で、メディアドライブ６６を介してメディアＭから読み込んだＤＩＣＯＭオブジェクトに含まれる付帯情報に基づいて、当該ＤＩＣＯＭオブジェクトに関連するＤＩＣＯＭオブジェクトを、ＤＩＣＯＭ管理サーバ８０から取得し、当該取得したＤＩＣＯＭオブジェクトとメディアＭから読み込んだＤＩＣＯＭオブジェクトとに基づいて、各ＤＩＣＯＭオブジェクトに関する医療データ（医用画像や所見レポート）を画面にそれぞれ表示させる。具体的には、比較読影画面６３１（図８参照）を表示させる。
【００９１】
[メディアにデータを書き込む場合のＤＩＣＯＭ管理サーバの具体的な動作]
次に、メディアＭに、ＤＩＣＯＭオブジェクトを書き込む場合に、Ａ病院内ＤＩＣＯＭシステム１００を構成するＤＩＣＯＭ管理サーバ４０が実行する処理の具体的な動作について、図６を用いて説明する。尚、ここでは、Ａ病院で撮影された医用画像の読影を、Ｂ病院の読影医に依頼する場合を想定している。
【００９２】
まず、メディアドライブ４６に、ブランクディスクのメディアＭがセットされると、ＤＩＣＯＭ管理サーバ４０の制御部４１は、メディアＭがセットされたことを検知する。そして、制御部４１は、表示部４３にメディアＭに書き込むＤＩＣＯＭオブジェクトを選択させる画面であるＤＩＣＯＭオブジェクト書込選択画面（図示せず）を表示させる。そして、制御部４１は、操作部４２からの操作信号に基づいて、メディアＭに書き込むＤＩＣＯＭオブジェクトを選択する（ステップＳ１）。
【００９３】
そして、制御部４１は、ステップＳ１において選択した一又は複数のＤＩＣＯＭオブジェクトを記憶部４５から読み出し、メディアドライブ４６を介してメディアＭに書き込む（ステップＳ２）。以上で処理が終了する。そして、患者又はＡ病院の医師等は、当該メディアＭをＢ病院に持っていく。
【００９４】
[メディアを読み込んだＤＩＣＯＭワークステーション等の具体的な動作]
次に、Ｂ病院内ＤＩＣＯＭシステム２００を構成するＤＩＣＯＭワークステーション６０が、メディアＭからＤＩＣＯＭ管理サーバ４０において書き込まれたデータ（ＤＩＣＯＭオブジェクト）を読み込んだ場合に、当該ＤＩＣＯＭワークステーション６０及びＤＩＣＯＭ管理サーバ８０が実行する処理の具体的な動作について図７を用いて説明する。
【００９５】
まず、ＤＩＣＯＭワークステーション６０のメディアドライブ６６に、ＤＩＣＯＭ管理サーバ４０においてデータが書き込まれたメディアＭがセットされると、ＤＩＣＯＭワークステーション６０の制御部６１は、メディアＭがセットされたことを検知する。そして、制御部６１は、メディアドライブ６６を介して、メディアＭからＤＩＣＯＭオブジェクトを読み出し、記憶部６５に一時記憶させる（ステップＳ１０１）。尚、メディアＭに記憶された各種データを記憶部６５に一時記憶させず、制御部６１が、必要に応じてメディアＭから各種データを直接読み込み、ＲＡＭに展開する構成としてもよい。
【００９６】
制御部６１は、メディアＭからＤＩＣＯＭオブジェクトを読み出す（読み込む）と、記憶部６５から比較読影支援プログラム６５１を読み出し、当該比較読影支援プログラム６５１を起動する（ステップＳ１０２）。
【００９７】
そして、制御部６１は、比較読影支援プログラム６５１と協働して、読影対象とするＤＩＣＯＭオブジェクトを選択させる画面であるＤＩＣＯＭオブジェクト読影選択画面（図示せず）を表示部６３に表示させる。そして、制御部６１は、ユーザ操作による操作部６２からの操作信号に基づいて、メディアＭから読み出した（読み込んだ）ＤＩＣＯＭオブジェクトの中から読影対象とするＤＩＣＯＭオブジェクトを選択する（ステップＳ１０３）。具体的には、ＤＩＣＯＭオブジェクトに含まれる付帯情報の検査情報に基づいて、メディアＭから読み出したＤＩＣＯＭオブジェクトを生成した検査の一覧が表示され、当該一覧のある検査が選択されることによって、当該検査に関連するＤＩＣＯＭオブジェクトが選択される。
【００９８】
尚、必要に応じてメディアＭからＤＩＣＯＭオブジェクトを直接読み込む構成とする場合、制御部６１は、メディアＭに記憶されているＤＩＣＯＭオブジェクトの一覧をメディアＭから読み出し、当該一覧を表示部６３に表示させる。そして、制御部６１は、操作部６２からの操作信号に基づいて当該一覧のある検査が選択されることによって、当該検査に関連するＤＩＣＯＭオブジェクトを選択する。そして、制御部６１は、当該選択したＤＩＣＯＭオブジェクトをメディアＭから読み出す。
【００９９】
そして、制御部６１は、記憶部６５に記憶されているＤＩＣＯＭ管理サーバ所在情報６５２の「ＩＰアドレス」、「ポート番号」、「ＡＥタイトル」等に基づいて、ＤＩＣＯＭ管理サーバ８０を特定する（ステップＳ１０４）。
【０１００】
そして、制御部６１は、ステップＳ１０３において選択したＤＩＣＯＭオブジェクトに関連するＤＩＣＯＭオブジェクトの取得要求を生成し、当該取得要求をＤＩＣＯＭ管理サーバ８０に送信する（ステップＳ１０５）。具体的に、制御部６１は、選択したＤＩＣＯＭオブジェクトに含まれる付帯情報の検査情報から患者名、生年月日、性別等を抽出し、これらの情報を含んだＤＩＣＯＭオブジェクトの取得要求（ＤＩＣＯＭ画像オブジェクト取得要求及び／又はＤＩＣＯＭレポートオブジェクト取得要求）を生成する。そして、制御部６１は、生成したＤＩＣＯＭオブジェクトの取得要求を、ＤＩＣＯＭ管理サーバ８０に送信する。
【０１０１】
ＤＩＣＯＭ管理サーバ８０の制御部８１は、通信部８４を介してＤＩＣＯＭオブジェクトの取得要求を受信すると、当該取得要求に応じたＤＩＣＯＭオブジェクトを検索する（ステップＳ１０６）。具体的に、ＤＩＣＯＭオブジェクトの取得要求に含まれる患者名、生年月日、性別等が一致する検査情報を含んだＤＩＣＯＭオブジェクトが記憶部８５に記憶されているか否か（有るか否か）を検索する。つまり、制御部８１は、ステップＳ１０３において選択されたＤＩＣＯＭオブジェクトの検査に対応する過去検査等において生成されたＤＩＣＯＭオブジェクトを検索することになる。
【０１０２】
そして、制御部８１は、検索の結果、該当するＤＩＣＯＭオブジェクトが有る場合は、取得要求に応じたＤＩＣＯＭオブジェクトをＤＩＣＯＭワークステーション６０に通信部８４を介して送信する（ステップＳ１０７）。一方、検索の結果、該当するＤＩＣＯＭオブジェクトが無い場合は、その旨の通知をＤＩＣＯＭワークステーション６０に通信部８４を介して送信する。
【０１０３】
ＤＩＣＯＭワークステーション６０の制御部６１は、取得要求に応じたＤＩＣＯＭオブジェクトが無い旨の通知を受信すると（ステップＳ１０８；ＮＯ）、表示部６３に、取得要求に応じたＤＩＣＯＭオブジェクトが無い旨を表示する（ステップＳ１０９）。そして、制御部６１は、ステップＳ１０３において選択したＤＩＣＯＭオブジェクトに基づいて、当該ＤＩＣＯＭオブジェクトに関する医療データを表示部６３に表示する（ステップＳ１１０）。具体的な画面例については後述する。そして、処理が終了する。また、Ｂ病院の読影医は、表示部６３に表示された医療データを参照し、読影を行う。
【０１０４】
一方、ＤＩＣＯＭワークステーション６０の制御部６１は、取得要求に応じたＤＩＣＯＭオブジェクトを受信すると（ステップＳ１０８；ＹＥＳ）、ステップＳ１０３において選択したＤＩＣＯＭオブジェクトと、当該受信したＤＩＣＯＭオブジェクトとに基づいて比較読影画面６３１（図８参照）を表示部６３に表示する（ステップＳ１１１）。そして、処理が終了する。また、Ｂ病院の読影医は、比較読影画面６３１を参照し、比較読影を行う。
【０１０５】
尚、本フローチャートのステップＳ１０５において、ＤＩＣＯＭオブジェクトの取得要求を生成する際、付帯情報に含まれる患者情報から患者名、生年月日、性別等を抽出するとしたが、この患者名を、英字の患者名、カナの患者名及び漢字の患者名としてもよい。この場合、付帯情報に含まれる患者情報の患者名も、英字の患者名、カナの患者名及び漢字の患者名となる。
【０１０６】
[比較読影画面]
図８に、ＤＩＣＯＭワークステーション６０の表示部６３に表示される比較読影画面６３１を示す。図８に示すように、比較読影画面６３１は、医療データ表示領域ｅ１、関連医療データ表示領域ｅ２等から構成される。
【０１０７】
医療データ表示領域ｅ１は、ＤＩＣＯＭワークステーション６０において選択された（図７：ステップＳ１０３）読影対象となるＤＩＣＯＭオブジェクトに基づく医療データを表示する領域である。具体的に、読影対象となるＤＩＣＯＭオブジェクトに含まれる付帯情報に基づいて、患者ＩＤ、患者名、検査日、検査種類、施設等の項目が表示される。また、ＤＩＣＯＭオブジェクトに含まれる実データに基づいて、医用画像や所見レポートが表示される。図８では、医用画像が表示されている。
【０１０８】
関連医療データ表示領域ｅ２は、ＤＩＣＯＭ管理サーバ８０から取得した（図７：ステップＳ１０７）、前記選択された読影対象となるＤＩＣＯＭオブジェクトに関連するＤＩＣＯＭオブジェクトに基づく医療データを表示する領域である。具体的に、ＤＩＣＯＭ管理サーバ８０から取得したＤＩＣＯＭオブジェクトに含まれる付帯情報に基づいて、患者ＩＤ、患者名、検査日、検査種類、施設等の項目が表示される。また、ＤＩＣＯＭオブジェクトに含まれる実データに基づいて、医用画像や所見レポートが表示される。図８では、医用画像が表示されている。
【０１０９】
このように、ユーザが医療データ表示領域ｅ１に表示される医療データを読影する場合、過去検査等のような関連する医療データが関連医療データ表示領域ｅ２に自動で表示され、比較読影を行うことができる。
【０１１０】
また、図７のステップＳ１１０において表示される画面の画面例は、比較読影画面６３１の関連医療データ表示領域ｅ２を除いた画面になる。
【０１１１】
以上、本実施の形態によれば、ＤＩＣＯＭワークステーション６０は、メディアＭから読み込んだＤＩＣＯＭオブジェクトに含まれる付帯情報に基づいて、当該ＤＩＣＯＭオブジェクトに関連するＤＩＣＯＭオブジェクトをＤＩＣＯＭ管理サーバ８０から取得する。そして、ＤＩＣＯＭワークステーション６０は、当該取得したＤＩＣＯＭオブジェクトとメディアＭから読み込んだＤＩＣＯＭオブジェクトとに基づいて、各ＤＩＣＯＭオブジェクトに関する医療データを表示部６３にそれぞれ表示させる。つまり、比較読影画面６３１を表示部６３に表示させる。
【０１１２】
そのため、患者の紹介先（読影の依頼先）の医療施設（Ｂ病院）でメディアＭに書き込まれたＤＩＣＯＭオブジェクトの比較読影を行う場合、当該ＤＩＣＯＭオブジェクトをＤＩＣＯＭ管理サーバ８０に取り込ませ、ＤＩＣＯＭワークステーション６０に、前記取り込ませたＤＩＣＯＭオブジェクトをＤＩＣＯＭ管理サーバ８０から取得させる必要が無い。更に、ＤＩＣＯＭワークステーション６０に、読影対象のＤＩＣＯＭ画像オブジェクトの過去検査におけるＤＩＣＯＭオブジェクトをＤＩＣＯＭ管理サーバ８０から取得させる必要が無い。
【０１１３】
また、ＤＩＣＯＭワークステーション６０に、過去検査におけるＤＩＣＯＭオブジェクトをＤＩＣＯＭ管理サーバ８０から取得させる際、ユーザは、患者名、患者の生年月日、患者の性別等のような、同一患者であることが期待できる条件を手入力する必要が無い。
【０１１４】
そのため、メディアＭ（可搬型記憶媒体）に記憶されているＤＩＣＯＭオブジェクトに対する比較読影を行う際の、ユーザの利便性を向上させることができる。更に、誤って、異なる患者のＤＩＣＯＭオブジェクトを参照することを防止することができる。
【０１１５】
また、ＤＩＣＯＭワークステーション６０は、ＤＩＣＯＭ管理サーバ８０にＤＩＣＯＭオブジェクトの取得要求を送信し、該当するＤＩＣＯＭオブジェクトが無い旨の通知を受信すると、その旨を表示部６３に表示する。
【０１１６】
そのため、ユーザは、ＤＩＣＯＭワークステーション６０が比較読影に必要な過去検査を取得することができない場合、その旨を知ることができる。
【０１１７】
尚、本実施の形態における記述は、本発明に係るＤＩＣＯＭシステムの一例であり、これに限定されるものではない。システムを構成する各装置の細部構成及び細部動作に関しても適宜変更可能である。
【０１１８】
また、本実施の形態において、Ｂ病院内ＤＩＣＯＭシステム２００のＤＩＣＯＭ管理サーバの台数は一台（ＤＩＣＯＭ管理サーバ８０）であるとしたが、Ｂ病院内ＤＩＣＯＭシステム２００が複数台のＤＩＣＯＭ管理サーバを備える構成としてもよい。この場合、ＤＩＣＯＭワークステーション６０の記憶部６５に記憶されているＤＩＣＯＭ管理サーバ所在情報６５２は、これら複数台のＤＩＣＯＭ管理サーバの所在を示す情報となる。そして、ＤＩＣＯＭワークステーション６０の制御部６１は、これら複数台のＤＩＣＯＭ管理サーバから、メディアＭから読み込んだＤＩＣＯＭオブジェクトに関連するＤＩＣＯＭオブジェクトを取得する。
【０１１９】
また、本実施の形態では、プログラムを格納したコンピュータ読み取り可能な媒体としてハードディスクや可搬型記憶媒体を使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１２０】
【図１】本発明におけるＤＩＣＯＭシステムのシステム構成図である。
【図２】ＤＩＣＯＭオブジェクトのデータ構成図である。
【図３】ＤＩＣＯＭ管理サーバ（Ａ病院）のブロック図である。
【図４】ＤＩＣＯＭ管理サーバ（Ｂ病院）のブロック図である。
【図５】ＤＩＣＯＭワークステーション（Ｂ病院）のブロック図である。
【図６】ＤＩＣＯＭ管理サーバ（Ａ病院）において実行される処理を示すフローチャートである。
【図７】Ｂ病院内ＤＩＣＯＭシステムにおいて実行される処理を示すラダーチャートである。
【図８】比較読影画面の画面例である。
【符号の説明】
【０１２１】
１        ＤＩＣＯＭシステム
１０      ＲＩＳ
２０      モダリティ
３０      ＤＩＣＯＭワークステーション
４０      ＤＩＣＯＭ管理サーバ
４１      制御部
４２      操作部
４３      表示部
４４      通信部
４５      記憶部
４６      メディアドライブ
４７      バス
５０      ＲＩＳ
６０      ＤＩＣＯＭワークステーション
６１      制御部
６２      操作部
６３      表示部
６４      通信部
６５      記憶部
６６      メディアドライブ
６７      バス
７０      モダリティ
８０      ＤＩＣＯＭ管理サーバ
８１      制御部
８２      操作部
８３      表示部
８４      通信部
８５      記憶部
８６      バス
１００    Ａ病院内ＤＩＣＯＭシステム
２００    Ｂ病院内ＤＩＣＯＭシステム
６５１    比較読影支援プログラム
６５２    ＤＩＣＯＭ管理サーバ所在情報
６３１    比較読影画面
ｅ１      医療データ表示領域
ｅ２      関連医療データ表示領域
Ｍ        メディア
Ｎ１      通信ネットワーク
Ｎ２      通信ネットワーク
【図１】
2010040019.tif 000003
【図２】
2010040019.tif 000004
【図３】
2010040019.tif 000005
【図４】
2010040019.tif 000006
【図５】
2010040019.tif 000007
【図６】
2010040019.tif 000008
【図７】
2010040019.tif 000009
【図８】
2010040019.tif 000010